(57)【特許請求の範囲】
【請求項１】
一端側を支持部、他端側をカム係合部とし、前記支持部とカム係合部が同一方向を向くように屈曲してなるピンと、
コイルバネと、
底面に、前記コイルバネの一端を挿入して支持する突起からなるバネ受けと、前記ピンの支持部を揺動自在に支持する支点部と、を形成したケースと、
前記ケース内に前記コイルバネを介して上下動自在に収納され、且つ側面にカム溝を設けてなる操作体と、を有し、
前記ケースのバネ受け中に形成した支持溝内に、前記ピンの支持部を挿入すると共に、このピンの支持部を前記ケースの支点部上に載置し、
且つ前記ピンの支持部を、前記バネ受けに取り付けられるコイルバネの端部によって下方向に弾圧することで、前記ケースの支点部を支点にして前記ピンのカム係合部の先端を、前記操作体のカム溝に弾接させ、
前記操作体を上下動した際に、前記ピンのカム係合部の先端が、前記操作体のカム溝内の凹凸面に弾接しながら移動することで、前記操作体を所望の位置に係止させるプッシュロック機構であって、
前記バネ受けの外周壁に連続してケースの底面から突出する突起部を設け、この突起部の上面を前記コイルバネの端部を当接するバネ当接部とし、このバネ当接部の高さを、前記ピンの支持部が移動する最も高い位置と同一またはそれ以上高くすることで、前記操作体を上下動させたときの何れの位置であっても常にコイルバネの端部の一点のみが前記ピンの支持部に接触する構成とし、
さらに、前記バネ当接部の外周側に、このバネ当接部よりも高い突部からなり、前記コイルバネがこのバネ当接部から脱落するのを防止する壁部を設けたことを特徴とするプッシュロック機構。
【請求項２】
請求項１に記載のプッシュロック機構であって、
前記支持溝は、前記バネ当接部と前記壁部を含むバネ受け全体を横断するように形成されていることを特徴とするプッシュロック機構。
【請求項３】
請求項２に記載のプッシュロック機構であって、
前記ピンの支持部は、前記支持溝を貫通する長さに形成されていることを特徴とするプッシュロック機構。
【発明の詳細な説明】
【技術分野】
【０００１】
本発明は、プッシュロックスイッチ等に用いて好適なプッシュロック機構に関するものである。
【背景技術】
【０００２】
従来、操作体を押圧して押し下げると、前記押圧を解除しても前記操作体が押し下げられた位置にロックされると同時にスイッチがオン（又はオフ）し、もう一度前記操作体を押圧して少し押し下げると前記ロックが解除されて前記操作体が元の位置に自動復帰すると同時にスイッチがオフ（又はオン）する構造のプッシュロック機構付きのスイッチがある。
【０００３】
この種のプッシュロック機構の中には、例えば特許文献１に示すように、ロック部材（２４）の短手部（２４ａ）の先端を、ハートカム（４１）の内底面に形成した凹凸面に常に弾接させるため、ロック部材（２４）の長手部（２４ｂ）をコイルバネ（４０）の下端面によって下方向に弾発するように構成しているものがある。即ち、引用文献１の図１に示すように、短手部（２４ａ）の先端が、ハートカム（４１）の内底面の中の高い部分に当接している場合は、長手部（２４ｂ）は案内溝２５の底面から少し浮き上がる。一方、引用文献１の図５に示すように、短手部（２４ａ）の先端が、ハートカム（４１）の内底面の内の低い部分に当接している場合は、長手部（２４ｂ）は案内溝２５の底面まで下降してその先端が底面に当接する。そして何れの状態の場合も、コイルバネ（４０）の下端面が長手部（２４ｂ）を下方向に弾発しているので、常に短手部（２４ａ）の先端はハートカム（４１）の内底面に弾接される。このようにコイルバネ（４０）の弾発力を用いてロック部材（２４）を弾発すると、別途ロック部材（２４）を弾発する弾発部材を設ける必要がなくなるので、部品点数の削減やプッシュロック機構の小型化、製造工程の簡略化等を図ることができ、好適である。
【先行技術文献】
【特許文献】
【０００４】
【特許文献１】実開昭６１−８８６２９号公報
【発明の概要】
【発明が解決しようとする課題】
【０００５】
しかしながら、上記特許文献１に示すプッシュロック機構においては、短手部（２４ａ）の先端がハートカム（４１）の内底面に弾接する弾接力が強すぎ、これによって、短手部（２４ａ）の先端がハートカム（４１）の内底面の高い位置から低い位置に落ち込んで低い側の内底面に当接する際に、その当接の衝撃による衝撃力がこれを操作している指に伝わり（「カツン」という感じの感触が指に伝わり）、動作感触が悪くなってしまうという問題があった。前記操作感触を良くするには、前記コイルバネ（４０）の弾発力を弱くすればよいが、そうすると、操作子（１４）を上方向に弾発している弾発力も弱くなってしまい、その操作感触が悪くなってしまう。
【０００６】
本発明は上述の点に鑑みてなされたものでありその目的は、コイルバネによる操作体の弾発力を適度な弾発力に維持した状態のまま、このコイルバネによって弾発されるロックピンの弾発力も適度な弾発力にすることができるプッシュロック機構を提供することにある。
【課題を解決するための手段】
【０００７】
本発明は、一端側を支持部、他端側をカム係合部とし、前記支持部とカム係合部が同一方向を向くように屈曲してなるピンと、コイルバネと、底面に、前記コイルバネの一端を挿入して支持する突起からなるバネ受けと、前記ピンの支持部を揺動自在に支持する支点部と、を形成したケースと、前記ケース内に前記コイルバネを介して上下動自在に収納され、且つ側面にカム溝を設けてなる操作体と、を有し、前記ケースのバネ受け中に形成した支持溝内に、前記ピンの支持部を挿入すると共に、このピンの支持部を前記ケースの支点部上に載置し、且つ前記ピンの支持部を、前記バネ受けに取り付けられるコイルバネの端部によって下方向に弾圧することで、前記ケースの支点部を支点にして前記ピンのカム係合部の先端を、前記操作体のカム溝に弾接させ、前記操作体を上下動した際に、前記ピンのカム係合部の先端が、前記操作体のカム溝内の凹凸面に弾接しながら移動することで、前記操作体を所望の位置に係止させるプッシュロック機構であって、前記バネ受けの外周壁に連続してケースの底面から突出する突起部を設け、この突起部の上面を前記コイルバネの端部を当接するバネ当接部とし、このバネ当接部の高さを、前記ピンの支持部が移動する最も高い位置と同一またはそれ以上高くすることで、前記操作体を上下動させたときの何れの位置であっても常にコイルバネの端部の一点のみが前記ピンの支持部に接触する構成とし、さらに、前記バネ当接部の外周側に、このバネ当接部よりも高い突部からなり、前記コイルバネがこのバネ当接部から脱落するのを防止する壁部を設けたことを特徴としている。
本発明によれば、ピンの支持部を、コイルバネの端部の一点のみによって押えるので、この支持部をコイルバネの端部の二点で押える場合に比べて、その弾発力を弱く、適度な弾発力にすることができる。つまり、コイルバネによる操作体の弾発力を適度な弾発力（強い弾発力）に維持した状態のまま、このコイルバネによって弾発されるピンの弾発力も適度な弾発力（弱い弾発力）にすることができる。
ピンの支持部は、その長さが長い方がピンの支持を安定して行うことができるので好適である。このため本発明は、ピンとコイルバネを真上から見て、ピンの支持部にコイルバネの端部が二点で交差するように長く形成する場合に用いて、特に好適である。なお、例えば上記安定性が問題とならないような場合は、ピンの支持部に確実にコイルバネの端部の一点のみを接触させるように、ピンの支持部の長さを、コイルバネの端部の二点で接触しない短い長さに形成しても良い。
【０００９】
また、前記バネ受けの、前記コイルバネの端部が前記ピンの支持部に接触している側とは反対側に設けたバネ当接部の高さを高くすることで、コイルバネの端部とピンの支持部との接触位置を一点にしたので、ピンとコイルバネを真上から見て、ピンの支持部にコイルバネの端部が二点で交差するように長く形成することでピンの支持を安定化しても、確実に、コイルバネの端部とピンの支持部との接触位置を、ケースの支点部側の一点のみにすることができる。
【００１０】
また、コイルバネのケースの支点部側の端部の一点のみがピンの支持部によって持ち上げられると、前記コイルバネの端部の反対側の部分には、これをバネ当接部から外方へ離脱させようとする力が働くが、本発明によれば、壁部を設けたので、前記コイルバネの端部の反対側の部分がバネ当接部から離脱することを確実に防止することができる。
【００１１】
また本発明は、上記特徴に加え、前記支持溝は、前記バネ当接部と前記壁部を含むバネ受け全体を横断するように形成されていることを特徴としている。
また本発明は、上記特徴に加え、前記ピンの支持部は、前記支持溝を貫通する長さに形成されていることを特徴としている。
支持溝にピンの支持部を挿入することで、ピンを確実に支持できる。特にピンの支持部はバネ受けを貫通しているので、その長さを長く形成でき、安定した支持を行うことができる。
【発明の効果】
【００１２】
本発明によれば、コイルバネによる操作体の弾発力を適度な弾発力に維持した状態のまま、このコイルバネによって弾発されるロックピンの弾発力も適度な弾発力にすることができる。
【図面の簡単な説明】
【００１３】
【図１】プッシュロックスイッチ１の斜視図である。
【図２】プッシュロックスイッチ１の分解斜視図である。
【図３】プッシュロックスイッチ１の断面概略図（図１のＡ−Ａ断面概略図）である。
【図４】ケース１０を拡大してその上方より見た斜視図である。
【図５】ケース１０を拡大して別の角度の上方から見た斜視図である。
【図６】操作体１００を斜め下方から見た斜視図である。
【図７】操作体１００の側面図である。
【図８】操作体１００を押圧した際のプッシュロックスイッチ１の断面概略図である。
【発明を実施するための形態】
【００１４】
以下、本発明の実施形態を図面を参照して詳細に説明する。図１は本発明の１実施形態にかかるプッシュロック機構を用いて構成されたプッシュロックスイッチ１の斜視図、図２はプッシュロックスイッチ１の分解斜視図、図３はプッシュロックスイッチ１の断面概略図（図１のＡ−Ａ断面概略図）である。これらの図に示すように、プッシュロックスイッチ１は、ケース１０の収納部１１内に、ピン５０と、コイルバネ７０と、一対の摺動子１４１，１４３を取り付けた操作体１００とを収納し、その上にカバー１７０を被せて構成されている。なお以下の説明において、「上」とはケース１０の収納部１１の底面１３から操作体１００を見る方向をいい、「下」とはその反対方向をいうものとする。
【００１５】
図４は、ケース１０を拡大してその上方より見た斜視図、図５はケース１０を拡大して別の角度の上方から見た斜視図である。図２〜図５に示すように、ケース１０は、合成樹脂を略矩形箱型に成形して構成されており、その内部には上面が解放された収納部１１が形成されている。収納部１１の底面１３の略中央にはバネ受け１５が形成され、またバネ受け１５に隣接して支点部２７が形成されている。バネ受け１５は略円筒状の突起を下記する支持溝２３によって２分割した形状であり、その外径寸法はコイルバネ７０の内径寸法よりも小さく形成され、これによって、コイルバネ７０の内部に挿入される構成となっている。バネ受け１５の、支点部２７に対向する側とは反対側の外周には、バネ当接部１７が設けられ、さらにその外周側には、壁部１９が設けられている。バネ当接部１７は、バネ受け１５の外周壁に連続して設けられた突起部２１の上面に設けられることで、底面１３の高さよりもその高さを所定寸法だけ高く形成している。バネ当接部１７の面は、ケース１０内に組み込んだ下記するピン５０の支持部５１が移動（揺動）する最も高い位置よりも、さらに高い位置（同一の位置以上の位置）に設置されている。壁部１９は、バネ当接部１７の外周側（支点部２７から離れた側）に設けられ、バネ当接部１７よりも高い突部で構成されている。壁部１９のバネ当接部１７側の側面は、下方に向かってバネ受け１５に近づく傾斜面１９ａ（図４参照）となっている。バネ当接部１７と壁部１９は、バネ受け１５の一部を構成している。さらに、バネ当接部１７と壁部１９を含むバネ受け１５全体の中央には、このバネ受け１５全体を横断するように（貫通するように）、直線状の支持溝２３が形成されている。支持溝２３の深さは底面１３に至っており、この支持溝２３によって、バネ当接部１７と壁部１９を含むバネ受け１５は２つに分割されている。支持溝２３の幅寸法は、下記するピン５０の支持部５１の直径寸法よりも若干大きい寸法に形成されている。
【００１６】
支点部２７は、下記するピン５０の支持部５１を揺動自在に支持する小突起であり、略矩形状に形成され、その上面はピン当接面２９となっている。ピン当接面２９は平面状であり、図３に示すように、バネ受け１５側に向かってゆるく下降する傾斜面となっている。支点部２７は、前記支持溝２３の延長線上にある。
【００１７】
ケース１０の収納部１１の４つの内側面の内、バネ受け１５から支点部２７を見る側の内側面の略中央には、図５に示すように、上下方向に向かう略Ｖ字状の凹部からなるピンガイド部３０が形成されている。ピンガイド部３０は、その両側に凸部３１，３３を設けることで形成されており、上方向に向かってその幅を左右に広げる形状に形成されている。ピンガイド部３０は、下記するピン５０の中央部５５の部分を支持部５１を中心にして所定角度揺動可能となるように支持するためにＶ字状に形成されている。
【００１８】
ケース１０の収納部１１の４つの内側面の内、前記ピンガイド部３０を設けた面に対向する内側面には、図４に示すように、上下に柱状に延びるレール部３５が形成されている。レール部３５は、下記する操作体１００に設けた図示しないガイド凹部を上下動自在に挿入し、操作体１００の上下動をガイドするものである。
【００１９】
ケース１０の収納部１１の４つの内側面の内、前記ピンガイド部３０とレール部３５を設けた面以外の対向する一対の内側面には、それぞれ、スイッチパターン３７，３９が３列ずつ露出して配置されている。スイッチパターン３７，３９は、それぞれの外側面下部から突出する複数本（３本）ずつの各端子４１，４３と一体の金属板の露出面であり、所望のオンオフ用のスイッチパターンを形成している。
【００２０】
ケース１０の４つの外側面の内、前記端子４１，４３を突出した側の一対の外側面には、その左右両端辺から内側に向かって、下記するカバー１７０の係止爪１８３を挿入する凹状のカバー係合部４５が設けられている。またケース１０のもう一方の一対の外側面には、その中央に爪状のカバー係止部４７が設けられている。
【００２１】
ピン５０は、図２に示すように、円柱状の金属棒を２箇所で略直角に折り曲げることで、一端側を支持部５１、他端側をカム係合部５３、中間部分を中央部５５として構成されている。支持部５１とカム係合部５３と中央部５５は何れも直線状で、中央部５５に対して、支持部５１とカム係合部５３は同一方向を向くように屈曲されている。またコイルバネ７０は、圧縮コイルバネで構成されている。
【００２２】
図６は摺動子１４１，１４３を取り付けた操作体１００を斜め下方から見た斜視図、図７は下記するカム溝１０３を形成した面側を示す側面図である。これらの図及び図２に示すように、操作体１００は合成樹脂の成形品であり、本体部１０１の上部に、操作部１３１を設けて構成されている。本体部１０１は、略四角柱状で、一つの外周側面にカム溝１０３を設け、その反対型の外周側面に前記ケース１０のレール部３５に挿入される図示しないガイド凹部が上下方向に向かって形成されている。カム溝１０３は、ロックを解除した際にピン５０のカム係合部５３の先端が当接する第１面ｍ１と、面の高さを高くする傾斜面ｍ２と、傾斜面ｍ２によって高くなった面から段差を持って少し下降した第２面ｍ３と、第２面ｍ３から段差を持って少し下降した第３面ｍ４と、第３面ｍ４から段差を持って少し下降した第４面ｍ５と、第４面ｍ５から面の高さを高くする傾斜面ｍ６とを、略ハート型の溝の底面に形成して構成されている。一方、本体部１０１の底面には、コイルバネ７０の端部を挿入して支持する円形凹状のバネ端収納部１０５が形成されている。また本体部１０１の前記カム溝１０３を形成した面の左右両側に位置する一対の外周側面には、それぞれ摺動子１４１，１４３が取り付けられている。
【００２３】
摺動子１４１，１４３は、何れも弾性金属板製であり、略矩形状の基部１４２，１４４の下辺から複数本（３本）ずつ摺動冊子１４５，１４７を突出し、各摺動冊子１４５，１４７の根元部分を折り返すことで上向きとし、各摺動冊子１４５，１４７の先端に、外方向に湾曲する接点１４９，１５１を形成して構成されている。摺動子１４１，１４３は、それらの基部１４２，１４４に設けた嵌合孔に、操作体１００に設けた凸部１０７，１０９を圧入することで操作体１００に取り付けられている。
【００２４】
カバー１７０は金属板製であり、略矩形状に形成されたカバー本体部１７１の対向する２辺から略矩形状の側壁部１７３，１７５を突出して構成されている。カバー本体部１７１の中央には、前記操作体１００の操作部１３１を挿入する略矩形状の開口１７７が設けられ、また開口１７７の一辺の中央には、カバー本体部１７１を下方向に屈曲してなるピン押え部１７９が形成されている。ピン押え部１７９は、下記するピン５０のカム係合部５３の根元部分に当接することで、ピン５０がそれより上方に移動しないように規制するために設けられている。次に、両側壁部１７３，１７５の中央下部には、それぞれ前記ケース１０のカバー係止部４７を挿入して係止される矩形状の開口からなる係止孔１８１が設けられている。また両側壁部１７３，１７５の左右両側辺の下部からは、それぞれ矩形状に突出する係止爪１８３が設けられている。
【００２５】
そしてこのプッシュロックスイッチ１を組み立てるには、まず、ケース１０の収納部１１内にピン５０を挿入し、その際、ピン５０の支持部５１をケース１０の支持溝２３に挿入する。同時にピン５０の中央部５５をケース１０のピンガイド部３０内に挿入する。このとき支持部５１は、ケース１０の支点部２７上に載置される。また支持部５１は、バネ受け１５を貫通する。支持溝２３にピン５０の支持部５１を挿入することで、ピン５０を確実に支持できる。特にピン５０の支持部５１はバネ受け１５を貫通しているので、その長さを長く形成でき、安定した支持を行うことができ、特にピン５０をケース１０内に組み込む際のピン５０の安定した保持に有効である（もちろん、組み込んだ後のピン５０の安定した動作のためにも好適である）。
【００２６】
次に、収納部１１内にコイルバネ７０を挿入し、その下側の端部にケース１０のバネ受け１５を挿入する。次に、収納部１１内に、摺動子１４１，１４３を取り付けた操作体１００を挿入する。このとき、図３に示すように、コイルバネ７０の上側の端部を、操作体１００のバネ端収納部１０５に挿入し、またケース１０のレール部３５を操作体１００の図示しないガイド凹部に上下動自在に挿入する。
【００２７】
次に、ケース１０の収納部１１を覆うように、カバー１７０を被せ、ケース１０のカバー係止部４７をカバー１７０の係止孔１８１にスナップイン係合する。このときケース１０から突出している操作体１００の操作部１３１を、カバー１７０の開口１７７に挿入する。そして、カバー１７０の各係止爪１８３を折り曲げて、ケース１０の各カバー係合部４５に挿入することで、ケース１０にカバー１７０を固定する。これによってプッシュロックスイッチ１の組み立てが完了する。なお上記組立手順はその一例であり、他の各種異なる組立手順を用いて組み立てても良いことはいうまでもない。
【００２８】
以上のようにして組み立てられたプッシュロックスイッチ１において、ピン５０の支持部５１は、図３に示すように、ケース１０の支点部２７によって揺動自在に支持され、またバネ受け１５に取り付けられたコイルバネ７０の下側の端部によって下方向に弾圧され、これによって支点部２７を支点にしてピン５０のカム係合部５３の先端５３ａが、操作体１００のカム溝１０３（その内底面）に弾接している。図３では、カム係合部５３の先端５３ａは、ロックが解除された第１面ｍ１に弾接している。また操作体１００は、コイルバネ７０によって上方向に押し上げられるように弾発され、ロック解除の状態にある。
【００２９】
このとき、前記コイルバネ７０の下側の端部と、ピン５０の支持部５１との接触位置ａ１は、ケース１０の支点部２７側の一点のみである。つまり、支持部５１に接触するコイルバネ７０の端部の部分（接触位置ａ１）とは反対側の部分（位置ａ２、即ち、真上から見て、コイルバネ７０の端部と支持部５１とが交差する２点ａ１，ａ２の内の、支点部２７に近い接触位置ａ１ではないもう１点）は、支持部５１に接触していない。このため、操作体１００がコイルバネ７０によって押し上げられている弾発力に比べて、支持部５１がコイルバネ７０によって押し下げられる弾発力は小さくなっており、その弾発力を弱く、適度な弾発力にしている。つまり、コイルバネ７０による操作体１００の弾発力を適度な弾発力（強い弾発力）に維持した状態のまま、このコイルバネ７０によって弾発されるピン５０の弾発力も適度な弾発力（弱い弾発力）にすることができる。特に、接触位置ａ１と支点部２７間の距離は短いので、ピン５０を揺動させようとする力のモーメント（回転力）を小さくすることができる。なお、接触位置ａ１と支点部２７間の距離を調整することで、ピン５０に加えられる力のモーメントを容易に調整することができる。
【００３０】
そして、操作体１００の操作部１３１を下方向に向けて押圧すれば、コイルバネ７０の弾発力に抗して操作体１００が下降し、一対の摺動子１４１，１４３の各接点１４９，１５１がスイッチパターン３７，３９上を摺動し、これによって各端子４１，４３のオンオフ状態が切り替えられる。
【００３１】
次に前記操作体１００への押圧を解除すると、操作体１００は、押圧した位置にロックされる。次に、再び操作体１００を押圧してその押圧を解除すると、操作体１００は元のロックが解除された位置に上昇し、これによって各端子４１，４３のオンオフ状態が元の状態に切り替えられる。この一連の動作中、ピン５０のカム係合部５３は、操作体１００のカム溝１０３内を移動していく。即ち、操作体１００がロック解除状態にあるときのカム係合部５３の先端５３ａは、図６，図７に示す第１面ｍ１に当接している。操作体１００が押圧されて下降した際は、先端５３ａは、図７に一点鎖線で示すように、傾斜面ｍ２を通過した後、段差を越えて第２面ｍ３に落ち込む。この時の状態を図８に示す。そして前記操作体１００への押圧を解除すれば、先端５３ａは段差を越えて第３面ｍ４に移動し、ここでロックされる。再び操作体１００を押圧すれば、先端５３ａは段差を越えて第４面ｍ５に移動し、操作体１００への押圧を解除することで先端５３ａは傾斜面ｍ６を通って元の第１面ｍ１に移動する。即ち、操作体１００を上下動した際に、ピン５０のカム係合部５３の先端５３ａは、操作体１００のカム溝１０３内の凹凸面に弾接しながら移動することで、操作体１００を所望の位置（ロック位置とロック解除位置）に係止する。
【００３２】
ところで、上記カム係合部５３の先端５３ａが、第１面ｍ１から傾斜面ｍ２を通って、第２面ｍ３に落ちる手前の位置ｍ２１は、カム溝１０３の凹凸面の中で最も高い位置であり、この位置にあるときにピン５０は支点部２７を中心に最も揺動し、その支持部５１は、最も高い位置に移動する。しかし本実施形態においては、支持部５１が最も高い位置に位置しても、それよりもバネ当接部１７の位置が高いので（又は同一位置なので）、支持部５１がコイルバネ７０の位置ａ２の部分を押圧することはない。つまり、操作体１００を上下動させたときの何れの位置であっても常にコイルバネ７０の端部の一点（接触位置ａ１）のみがピン５０の支持部５１に接触するように、バネ当接部１７を形成しているので、上述のように、ピン５０には、常に適当な弾発力が働くこととなる。
【００３３】
また上記カム係合部５３の先端５３ａが、第２面ｍ２に落ちる手前の位置ｍ２１に当接しているときは、ピン５０の支持部５１が最もコイルバネ７０を押し上げているときなので、コイルバネ７０による弾発力が最も強く、第２面ｍ２に落ちる際、最も強い衝撃が生じる。しかしこのプッシュロックスイッチ１においては、前述のようにその弾発力は適度な弾発力になっているため、それほど強い衝撃にはならない。このため、上記当接の衝撃による衝撃力がこれを操作している指に伝わり、動作感触を悪くしてしまうというような問題は生じない。
【００３４】
また、コイルバネ７０は、ピン５０の支持部５１によってその下側の端部の片側だけが押し上げられるので、その端部には、バネ当接部１７から外方に向けて脱落しようとする力が作用する。しかしこのプッシュロックスイッチ１においては、壁部１９が設けられているので、前記脱落を確実に防止することができる。このとき、壁部１９のコイルバネ７０の端部が当接する側の側面を傾斜面１９ａ（図４参照）としているので、コイルバネ７０の端部が壁部１９に沿って少し上昇したような場合でも、スムーズに元のバネ当接部１７の位置に戻るように誘導することができ、壁部１９の側面の途中に引っ掛かるようなことを確実に防止することができる。
【００３５】
なおもし、コイルバネ７０の端部とピン５０の支持部５１との接触位置を、ケース１０の支点部２７側とは反対側の一点（位置ａ２）にしようとすると、ケース１０の支点部２７側の一点ａ１においてコイルバネ７０の端部にピン５０の支持部５１が当接しないようにするため、例えば支持部５１の形状を屈曲形状にする等しなければならなくなり、構造が複雑化する恐れがある。これに対してこの実施形態のように、接触位置を、ケース１０の支点部２７側の一点ａ１にすれば、簡単な構造で、コイルバネ７０の端部とピン５０の支持部５１との接触を一点のみにすることができる。
【００３６】
また上記実施形態では、支点部２７のピン当接面２９を傾斜面としているので、万一、何らかの理由でピン５０の支持部５１がコイルバネ７０によって適正に弾圧されなくなったような場合（弾圧力が設定より小さいような場合）でも、ピン５０の支持部５１がピン当接面２９上に線状に当接することで、ピン５０のカム係合部５３の先端５３ａがカム溝１０３の底面に当接する方向に、ピン５０を揺動させることができる。
【００３７】
なお、上記実施形態では、ピン５０の支持部５１の長さを、バネ受け１５を貫通する長さに形成したが、その代りに、支持部５１の長さを、バネ受け１５を貫通しない短い長さ（コイルバネ７０の端部の一点ａ２に当接しない長さ）に形成し、これによって支持部５１にコイルバネ７０の端部が確実に一点ａ１のみで接触する構成としても良い。
【００３８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では、支点部のピン当接面を平面状の傾斜面としたが、本発明はこれに限られず、円弧面、鋭角な凸形状等、他の種々の形状としてもよい。また操作体に設けるカム溝の形状も種々の変形が可能である。
【符号の説明】
【００３９】
１  プッシュロックスイッチ
１０  ケース
１１  収納部
１３  底面
１５  バネ受け
１７  バネ当接部
１９  壁部
２３  支持溝
２７  支点部
５０  ピン
５１  支持部
５３  カム係合部
７０  コイルバネ
ａ１  接触位置
１００  操作体
１０３  カム溝
１４１，１４３  摺動子
１７０  カバー
【図１】
0006469533.tif 000002
【図２】
0006469533.tif 000003
【図３】
0006469533.tif 000004
【図４】
0006469533.tif 000005
【図５】
0006469533.tif 000006
【図６】
0006469533.tif 000007
【図７】
0006469533.tif 000008
【図８】
0006469533.tif 000009